(57)【要約】【課題】取付孔から引き抜く際の損傷を抑え、取付孔への挿入力を低減することができる留め具を提供する。【解決手段】被取付部材の取付孔に取り付けられる留め具において、脚部２４は、軸部２２に連設する基端部４２と、先端側の外面に形成され、取付孔の縁に係止する係止部３８と、基端部４２および係止部３８の間の外面に形成され、頭部２０側に向かって軸部２２から離れるように屈曲する屈曲部４０と、を有する。連結部２６は、基端部４２と係止部３８の間で脚部２４に連結する。【選択図】図２
2018155391.tif 000002
【特許請求の範囲】
【請求項１】
被取付部材の取付孔に取り付けられる留め具であって、
頭部と、
前記頭部から延出する軸部と、
前記軸部から前記頭部に向かって延びる脚部と、
前記脚部と前記軸部とを連結する連結部と、を備え、
前記脚部は、
前記軸部に連設する基端部と、
先端側の外面に形成され、取付孔の縁に係止する係止部と、
前記基端部および前記係止部の間の外面に形成され、前記頭部側に向かって前記軸部から離れるように屈曲する屈曲部と、を有し、
前記連結部は、前記基端部と前記係止部の間で前記脚部に連結することを特徴とする留め具。
【請求項２】
前記連結部は、前記屈曲部より前記基端部側で前記脚部に連結することを特徴とする請求項１に記載の留め具。
【請求項３】
前記連結部および前記軸部の連結部分は、軸方向において、前記連結部および前記脚部の連結部分より前記頭部側に位置し、且つ前記脚部の先端より前記基端部側に位置することを特徴とする請求項１または２に記載の留め具。
【請求項４】
前記脚部は、前記連結部および前記軸部の連結部分に対向する内面を凹むように形成された凹み面を有することを特徴とする請求項１から３のいずれかに記載の留め具。
【請求項５】
該留め具を取付孔に取り付ける際に、前記脚部の先端側が前記屈曲部またはその近傍を回転支点として回転するように前記脚部が撓むことを特徴とする請求項１から４のいずれかに記載の留め具。
【請求項６】
前記屈曲部より前記基端部側での該留め具の外径は、取付孔の孔径より小さくなるように形成されることを特徴とする請求項１から５のいずれかに記載の留め具。
【発明の詳細な説明】
【技術分野】
【０００１】
本発明は、被取付部材の取付孔に留めるための留め具に関する。
【背景技術】
【０００２】
車両の車体パネルに内装パネルや飾り材などを取り付ける場合に、留め具が用いられる（特許文献１参照）。特許文献１に開示される留め具は、ディスク状の頭部と、頭部から延びて細長い伸長部材を形成する本体部と、パネルの孔縁に係合する複数の脚部と、本体部から延設されて脚部に連結する係留部とを有する。
【先行技術文献】
【特許文献】
【０００３】
【特許文献１】特開２００６−３００３２５号公報
【発明の概要】
【発明が解決しようとする課題】
【０００４】
特許文献１に開示される技術では、係留部により脚部を本体部に連結して脚部の変形を制限することで、取付孔から留め具を引き抜く際に脚部の過度な変形を抑え、留め具を再使用可能にしている。しかしながら、係留部により脚部を本体部に連結することで、脚部が本体部に向かって撓みにくくなり、取付孔へ挿入する際の挿入抵抗が大きくなるおそれがある。
【０００５】
本発明はこのような課題に鑑みてなされたものであり、その目的は、取付孔から引き抜く際の損傷を抑え、取付孔への挿入力を低減することができる留め具を提供することにある。
【課題を解決するための手段】
【０００６】
上記課題を解決するために、本発明のある態様の留め具は、被取付部材の取付孔に取り付けられる留め具であって、頭部と、頭部から延出する軸部と、軸部から頭部に向かって延びる脚部と、脚部と軸部とを連結する連結部と、を備える。脚部は、軸部に連設する基端部と、先端側の外面に形成され、取付孔の縁に係止する係止部と、基端部および係止部の間の外面に形成され、頭部側に向かって軸部から離れるように屈曲する屈曲部と、を有する。連結部は、基端部と係止部の間で脚部に連結する。
【発明の効果】
【０００７】
本発明によれば、取付孔から引き抜く際の損傷を抑え、取付孔への挿入力を低減することができる留め具を提供できる。
【図面の簡単な説明】
【０００８】
【図１】図１（ａ）および図１（ｂ）は、留め具の斜視図であって、異なる方向から見た図である。
【図２】図１に示す留め具の線分Ａ−Ａ断面を示す図である。
【図３】留め具を被取付部材の取付孔に取り付ける際の留め具の動作について説明するための図である。
【図４】留め具を取付孔から引き抜く際の留め具の動作について説明するための図である。
【発明を実施するための形態】
【０００９】
図１（ａ）および図１（ｂ）は、留め具１０の斜視図であって、異なる方向から見た図である。留め具１０は、取付部材を被取付部材に取り付けるため、または被取付部材に留めるために用いられる。例えば、留め具１０は、車体パネルに内装パネルを取り付けるため、内装パネルに飾り部品を取り付けるため等に使用される。
【００１０】
留め具１０は、頭部２０、軸部２２、脚部２４および連結部２６を備える。頭部２０は、第１取付部３２、第２取付部３４およびフランジ部３６を有する。第１取付部３２および第２取付部３４は、円板状にそれぞれ形成され、軸方向に対向する。第１取付部３２は、内装パネルの挿入孔に挿入され、第２取付部３４とともに内装パネルの孔縁を挟持する。フランジ部３６は、傘状に形成され、取付状態で車体パネルの表面に当接する。
【００１１】
軸部２２は、フランジ部３６の裏面から延出し、図１（ａ）に示すように留め具１０の中心軸に沿っており、一対の脚部２４を支持する。軸部２２は、図１（ｂ）に示すように、下端側がテーパ状に形成され、取付孔の挿入ガイドとして機能し、壁状に形成されることで取付後に留め具１０の動きを制限する。
【００１２】
一対の脚部２４は、軸部２２の下端部から頭部２０側のフランジ部３６に向かって折り返すように延び、自由端を有する。脚部２４は、取付孔の縁に係止する係止部３８と、軸部２２に連設する基端部４２と、中心軸と略平行に延びる平行部４４と、平行部４４から屈曲する屈曲部４０と、屈曲部４０から係止部３８に向かって拡径する拡径部４３とを有する。なお、以下では、軸部２２が頭部２０から延出する方向を軸方向といい、一対の脚部２４が対向する方向を対向方向という。また、脚部２４が軸部２２に対向する面を内面といい、軸部２２に対向しない面を外面といい、図１（ｂ）には脚部２４の外面が示される。
【００１３】
係止部３８は、脚部２４の先端側の外面に形成され、脚部２４の先端に向かってテーパ状に形成される。屈曲部４０は、基端部４２および係止部３８の間の外面に形成され、頭部２０側に向かって軸部２２から離れるように屈曲する。拡径部４３は、屈曲部４０から係止部３８に向かって拡径する斜面として形成される。屈曲部４０を形成することで、脚部２４が屈曲部４０の位置で撓みやすくなり、屈曲部４０またはその近傍を回転支点として脚部２４の先端側が軸部２２に向かって回転する。これにより、脚部２４は、基端部４２と屈曲部４０の２箇所で撓みやすくなるように構成される。
【００１４】
連結部２６は、脚部２４の中途位置を軸部２２に連結する。連結部２６は、脚部２４の基端部４２と係止部３８の間で脚部２４に連結する。連結部２６を形成することで脚部２４の、軸部２２から離れる方向への変形が制限されて、取付孔から留め具１０が引き抜かれる際に、脚部２４が押しつぶされるような脚部２４の過度な変形を抑え、留め具１０の取付孔への着脱を繰り返すことができる。また、連結部２６および脚部２４の連結部分を基端部４２と係止部３８の間の位置に設定することで、その連結部分より先端側の脚部２４が撓みやすくなるように構成できる。これにより、取付孔への挿入時に、係止部３８が内向きに移動しやすくなり、連結部２６を設けたことによる挿入力の上昇が抑えられる。
【００１５】
図２は、図１に示す留め具１０の線分Ａ−Ａ断面を示す。連結部２６および脚部２４の連結部分４６の上端位置Ｐ１は、屈曲部４０の外面の屈曲開始位置Ｐ２より基端部４２側に位置しており、連結部２６は、屈曲部４０より基端部４２側で脚部２４に連結する。これにより、連結部２６および脚部２４の連結部分４６と係止部３８との間に撓みやすい屈曲部４０が形成されて、取付孔への挿入時の挿入力を低減しつつ、取付孔からの抜去時に脚部２４が屈曲部４０またはその近傍を回転支点として撓むことで押しつぶされることを回避できる。また、連結部２６および脚部２４の連結部分４６で脚部２４が撓みづらくなっているのに対し、その連結部分４６の上下に撓みやすい箇所を設定することで、脚部２４が２箇所で大きく撓むように構成される。
【００１６】
連結部２６および軸部２２の連結部分４８は、軸方向において、脚部２４との連結部分４６より頭部２０側に位置する。また、連結部２６および軸部２２の連結部分４８の上端位置Ｐ３は、脚部２４の先端５０の位置Ｐ４より基端部４２側である。これにより、挿入時に脚部２４の先端５０が軸部２２の連結部分４８に向かって撓んだ際に、連結部分４８に干渉しづらくなるように構成できる。これにより、脚部２４の内向きへの撓み幅を確保して、取付孔の孔径の変化に対応しやすくなる。
【００１７】
脚部２４は、連結部２６および軸部２２の連結部分４８に対向する内面を凹んで形成した凹み面５２を有する。凹み面５２により、さらに屈曲部４０が撓みやすくなるとともに、脚部２４の内向きへの移動空間を確保できるため、脚部２４を内向きにより撓みやすく構成できる。
【００１８】
図３は、留め具１０を被取付部材１２の取付孔１２ａに取り付ける際の留め具１０の動作について説明するための図である。図３（ａ）に示すように、留め具１０は基端部４２側から取付孔１２ａに挿入される。屈曲部４０より基端部４２側に位置する平行部４４での留め具１０の最大外径は、取付孔１２ａの孔径より小さくなるように形成されている。すなわち、屈曲部４０の外面の屈曲開始位置Ｐ２より基端部４２側に位置する平行部４４での最大外径は、取付孔１２ａの孔径より小さくなるように形成されている。これにより、留め具１０は基端部４２から屈曲部４０まで取付孔１２ａの縁に当たらずに挿入可能となり、容易に挿入できる。
【００１９】
図３（ｂ）に示すように、さらに留め具１０が取付孔１２ａに押し込まれると、脚部２４の拡径部４３が取付孔１２ａの縁に当たって、脚部２４が上向きかつ内向きの力を受ける。これにより、脚部２４の屈曲部４０より基端部４２側の部分が基端部４２近傍の回転支点Ｃ１で軸部２２に向かって回転するように撓むとともに、脚部２４の先端側が屈曲部４０近傍の回転支点Ｃ２で軸部２２に向かって回転するように撓む。つまり、脚部２４が基端部４２近傍と屈曲部４０近傍に回動可能なジョイントを有するリンク機構のように機能する。これにより、取付孔１２ａへの挿入力を低減できる。取付孔への挿入時に屈曲部４０は、連結部２６に規制されている基端部４２より撓みやすく、屈曲部４０近傍の回転支点Ｃ２での回転角は、基端部４２近傍の回転支点Ｃ１の回転角より大きくなるように構成されてよい。
【００２０】
図３（ｃ）に示すように、脚部２４が内向きに変形し、連結部２６も連動して変形する。連結部２６は、軸部２２との連結部分４８近傍の回転支点Ｃ３で軸部２２に向かって回転し、脚部２４との連結部分４６が軸部２２に接近し、連結部２６が下方に向かうにつれて軸部２２に接近するように傾斜する。
【００２１】
図３（ｄ）に示すように、拡径部４３が取付孔１２ａを通りすぎると、脚部２４は復元力により対向方向外向きに移動して、係止部３８が取付孔１２ａの縁に係止する。このように、留め具１０は被取付部材１２に取り付けられる。
【００２２】
図４は、留め具１０を取付孔１２ａから引き抜く際の留め具１０の動作について説明するための図である。図４（ａ）に示すように、取付状態の留め具１０が上方に引っ張られると、係止部３８は取付孔１２ａの縁から下向きかつ内向きの力を受ける。
【００２３】
図４（ｂ）に示すように、さらに留め具１０を上方に引っ張ると、脚部２４は中途の屈曲部４０で折れ曲がるように変形する。具体的には、脚部２４の屈曲部４０より基端部４２側の部分は、回転支点Ｃ１で軸部２２に向かって倒れるように回転し、脚部２４の先端側は、回転支点Ｃ２で軸部２２から離れるように回転する。連結部２６は、回転支点Ｃ３で軸部２２に向かって回転し、脚部２４との連結部分４６が軸部２２に接近し、連結部２６が下方に向かうにつれて軸部２２に接近するように傾斜する。
【００２４】
図４（ｃ）に示すように、さらに留め具１０を引っ張ると、屈曲部４０が軸部２２に接近するように変形して、連結部２６の脚部２４との連結部分４６側が軸部２２に当たって、回転支点Ｃ１での脚部２４の変形、すなわち屈曲部４０より基端部４２側の部分の変形が止まる。脚部２４の先端側は回転支点Ｃ２で軸部２２から離れるようにさらに回転して、係止部３８の傾斜面が軸方向に沿うようになり、取付孔１２ａの縁から係止部３８の係止が外れる。これにより、係止部３８の係止が外れるように脚部２４の先端側が軸部２２から離れるように回転し、脚部２４の屈曲部４０より基端部４２側の部分が軸部２２に向かって倒れるように回転するため、脚部２４が押しつぶされず、抜去時の脚部２４の損傷を抑えることができる。
【００２５】
図４（ｄ）に示すように、係止部３８の係止が外れて留め具１０が取付孔１２ａから引き抜かれ、脚部２４は復元力により元に戻る。このように、留め具１０の抜去時に脚部２４が損傷しづらいため、取付孔１２ａに繰り返し脱着することができる。
【００２６】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００２７】
実施例では、留め具１０が取付部材を被取付部材に取り付けるために用いられる態様を示したが、この態様に限られない。取付部材と留め具１０が一体である場合、たとえば留め具１０の頭部２０に飾り部材が一体成形されている場合には、留め具１０は単に被取付部材に取り付けられるものである。
【００２８】
実施例では、脚部２４に平行部４４を形成する態様を示したが、この態様に限られない。例えば、脚部２４は全体的に頭部２０側に向かって拡開するように形成されてよい。また、連結部２６も、軸部２２に対して傾斜してよい。
【符号の説明】
【００２９】
１０  留め具、  １２  被取付部材、  １２ａ  取付孔、  ２０  頭部、  ２２  軸部、  ２４  脚部、  ２６  連結部、  ３２  第１取付部、  ３４  第２取付部、  ３６  フランジ部、  ３８  係止部、  ４０  屈曲部、  ４２  基端部、  ４３  拡径部、  ４４  平行部、  ５２  凹み面。
【図１】
2018155391.tif 000003
【図２】
2018155391.tif 000004
【図３】
2018155391.tif 000005
【図４】
2018155391.tif 000006